(57)【特許請求の範囲】
【請求項１】
側面に上下方向の全長にわたる凹部を有するコンクリートブロックを上下に複数積み重ねて形成した壁体に対して、前記側面に対向するように配置される取付枠を備えた門柱であって、
前記取付枠は、地面に対して固定された状態で設置される左右一対の側枠を有し、前記左右一対の側枠の間に機能ユニットが取り付けられ、
前記側枠は、上下に連なる複数の前記凹部に嵌まり込む突出部を有し、
前記突出部は、左右方向外側に突出するように湾曲した形状を有し、前記突出部の左右方向内側に、前記機能ユニットに接続される電気配線を挿通可能な縦溝状のスペースを形成することを特徴とする門柱。
【請求項２】
前記スペースの開口の一部を塞ぐように前記側枠に固定される取付部材を更に備え、
前記取付部材に、前記機能ユニットが取り付けられることを特徴とする請求項１に記載の門柱。
【発明の詳細な説明】
【技術分野】
【０００１】
本発明は、門柱に関し、特に、郵便受け等の機能ユニットが取り付けられる門柱に関する。
【背景技術】
【０００２】
特許文献１には、コンクリートブロックを積み上げて構成した門塀に、郵便受けを一体的に組み込んだ構造が開示されている。
【０００３】
特許文献１の構造では、ブロックの積み上げの途中に、ブロックの上にモルタルを介して郵便受けを積み上げ、郵便受けの周囲にモルタルを介してブロックを積み上げることによって、郵便受けを門塀に一体的に組み込んでいる。
【０００４】
特許文献１の構造では、郵便受けに設けた孔内やその横に位置するブロックの孔内にそれぞれ縦鉄筋を通し、各孔内にモルタルを充填して一体化させることによって、門塀の強度を確保している。
【先行技術文献】
【特許文献】
【０００５】
【特許文献１】特開２０１１−４２２号公報
【発明の概要】
【発明が解決しようとする課題】
【０００６】
特許文献１の構造では、郵便受けが周囲のブロックに対してモルタルで固定されており、また、郵便受けに縦鉄筋が通されているため、郵便受けの交換を簡単に行うことができない。
【０００７】
そこで、本発明は、郵便受け等の機能ユニットの交換や増設を簡単に行うことができ、尚且つ縦鉄筋の設置数を減らすことができて、施工がしやすい門柱を提案することを課題とする。
【課題を解決するための手段】
【０００８】
上記課題を解決するために本発明の門柱は、側面に上下方向の全長にわたる凹部を有するコンクリートブロックを上下に複数積み重ねて形成した壁体に対して、前記側面に対向するように配置される取付枠を備えた門柱であって、前記取付枠は、地面に対して固定された状態で設置される左右一対の側枠を有し、前記左右一対の側枠の間に機能ユニットが取り付けられ、前記側枠は、上下に連なる複数の前記凹部に嵌まり込む突出部を有し、前記突出部は、左右方向外側に突出するように湾曲した形状を有し、前記突出部の左右方向内側に、前記機能ユニットに接続される電気配線を挿通可能な縦溝状のスペースを形成することを特徴とする。
【発明の効果】
【０００９】
本発明の門柱は、郵便受け等の機能ユニットの交換や増設を簡単に行うことができ、尚且つ縦鉄筋の設置数を減らすことができて、施工がしやすい。
【図面の簡単な説明】
【００１０】
【図１】本発明の第一実施形態の機能ユニット付きの門柱を示す斜視図であり、一部のコンクリートブロックの図示を省略した図である。
【図２】同上の機能ユニット付きの門柱を示す斜視図であり、一部のコンクリートブロックと前カバーと後カバーの図示を省略した図である。
【図３】同上の門柱が備える取付枠の側枠を示す図であり、図３Ａは平断面であり、図３Ｂは側面図である。
【図４】同上の門柱が備える取付部材を示す図であり、図４Ａは正面図であり、図４Ｂは側面図である。
【図５】同上の機能ユニット付きの門柱を示し、図１のａ−ａ線における平断面図である。
【図６】同上の門柱が備える他の取付部材を示す図であり、図６Ａは正面図であり、図６Ｂは側面図である。
【図７】同上の門柱が備える更に他の取付部材を示す図であり、図７Ａは正面図であり、図７Ｂは側面図である。
【図８】図８Ａは本発明の第二実施形態の門柱の一部の平断面図であり、図８Ｂは同上の機能ユニット付きの門柱の一部の平断面図である。
【図９】図９Ａは本発明の第三実施形態の門柱の一部の平断面図であり、図９Ｂは同上の機能ユニット付きの門柱の一部の平断面図である。
【発明を実施するための形態】
【００１１】
以下、本発明の実施形態について添付図面に基づいて説明する。
【００１２】
本発明の第一実施形態の門柱１００は、図１及び図２に示すように、地面に固定され、郵便受け１０等の機能ユニット１が内側に取り付けられる取付枠２と、取付枠２の左右方向外側に位置する壁体３とを備える。本明細書では、図１に示す状態を基準として、矢印Ｘ１で示す方向を前方とし、その反対側を後方とし、矢印Ｙ１で示す方向を右方とし、その反対側を左方とし、矢印Ｚ１で示す方向を上方とし、その反対側を下方として、各構成について説明する。
【００１３】
本実施形態の門柱１００は、壁体３を左右一対有する。左右一対の壁体３はそれぞれ、上下に並ぶ複数のコンクリートブロック３０（以下「ブロック３０」と記載する）と、各ブロック３０間に充填されたモルタル等の目地材３１と、上下に隣接するブロック３０間に配された横鉄筋とを有する。横鉄筋は、左右方向を長手方向とするものであり、例えば、ブロック３０二段毎に、配置される。なお、横鉄筋は、ブロック３０三段以上毎に配置されてもよいし、ブロック３０一段毎に配置されてもよい。ブロック３０は、目地材３１によって横鉄筋と一体化される。
【００１４】
左右一対の壁体３は、上下に並ぶ複数のブロック３０が、左右方向に２列以上一体に並ぶものであってもよい。この場合、壁体３は、左右に隣接するブロック３０間に配される目地材３１及び縦鉄筋を更に有する。縦鉄筋は、壁体３に上下方向に亘って位置する。縦鉄筋は、鉄線等を用いて横鉄筋と一体化される。左右に隣接するブロック３０は、目地材３１によって縦鉄筋と一体化される。
【００１５】
本実施形態の門柱１００は、取付枠２及び左右一対の壁体３の上に配される上壁体４を更に備える。上壁体４は、取付枠２上に目地材３１を介して積み重ねたブロック３０と、左右一対の壁体３上に目地材３１を介して積み重ねたブロック３０とを有する。取付枠２上のブロック３０と左右一対の壁体３上のブロック３０とは目地材３１を介して一体化されている。つまり、本実施形態の門柱１００では、左右一対の壁体３とこれと一体の上壁体４とが、取付枠２を囲む１つの壁を形成している。なお、取付枠２及び左右の壁体３と、上壁体４との間には、左右方向に亘って横鉄筋が配されている。取付枠２と左右の壁体３と上壁体４は、目地材３１によってこの横鉄筋と一体化されている。
【００１６】
ブロック３０は、例えば、ＪＩＳ  Ａ５４０６等に規定されているコンクリートブロックである。各ブロック３０は、左右の側面のうち一方または両方に凹部３２を有し、左右方向の中央部に空洞部３３を有する。凹部３２と空洞部３３は、ブロック３０に上下方向に亘っている。凹部３２は、左右方向外側と上下方向に開口する。空洞部３３は、上下方向に開口する。凹部３２と空洞部３３はそれぞれ、ブロック３０の厚み方向（前後方向）の中央部に位置する。凹部３２は、平断面形状が略Ｕ字状であり、空洞部３３は、平断面形状が略矩形状である。
【００１７】
本実施形態では、ブロック３０は、左右の両側面に凹部３２を有する基本ブロック３００と、左右の側面のうち取付枠２に対向する側面にのみ凹部３２を有する隅用ブロック３０１とで構成される。基本ブロック３００は、左右方向に並ぶ３つの空洞部３３を有し、隅用ブロック３０１は、空洞部３３を１つ有する。隅用ブロック３０１の左右幅は、基本ブロック３００の左右幅の略半分である。基本ブロック３００は、取付枠２上に積み重ねて配されるブロックであり、隅用ブロック３０１は、取付枠２の左右において積み重ねて配されるブロックである。
【００１８】
本実施形態では、左右一対の壁体３はそれぞれ、６つの隅用ブロック３０１で形成され、上壁体４は、１つの基本ブロック３００とその左右両側に１つずつ配される２つの隅用ブロック３０１とで形成されている。なお、左右一対の壁体３は、基本ブロック３００で形成したものであってもよく、その場合、上壁体４は、基本ブロック３００のみで形成される。
【００１９】
左右一対の壁体３と上壁体４の露出面をなす前面や後面や左右方向外側の面には、モルタルや塗料の塗布等の仕上げ施工がなされる。また、上壁体４上には、必要に応じて、かさ木が取り付けられる。
【００２０】
取付枠２は、その内側に、機能ユニット１が設置される設置空間Ｓ１を有する。取付枠２は、正面視略矩形状の枠体であり、上枠５と下枠６と左右一対の側枠７とを有する。取付枠２は、例えば、金属製である。取付枠２のサイズは、目地材３１を介して積み重ねた複数個のブロック３０のサイズに対応している。本実施形態では、取付枠２のサイズは、目地材３１を介して上下に積み重ねた６段の基本ブロック３００のサイズと略同じである。また、取付枠２のサイズは、例えば、目地材３１を介して左右２列上下６段に積み重ねた１２個の基本ブロック３００のサイズと略同じであってもよい。この場合、上壁体４は、左右に並ぶ２つの基本ブロック３００とその左右両側に１つずつ配される２つの隅用ブロック３０１とで形成される。なお、取付枠２は、上記のサイズに限定されるものではない。
【００２１】
左右一対の側枠７は、上下方向に亘って断面形状が一定である。左右一対の側枠７は、図３Ａに示すように、突出部７０、スペーサー部７１、取付部７２、及び受け部７３を有する。
【００２２】
突出部７０は、取付枠２の左右方向外側に隣接して位置する隅用ブロック３０１の凹部３２に嵌り込む形状に設けられる。突出部７０は、左右方向外側に突出するように湾曲した形状を有し、突出部７０の左右方向内側に、機能ユニット１に接続される電気配線１１を挿通可能な縦筋状のスペースＳ２を形成する。突出部７０は、側枠７の前後方向の中央部に位置する。突出部７０の形状は、凹部３２の形状に対応しており、本実施形態では、平面視略Ｕ字状である。
【００２３】
スペーサー部７１は、突出部７０の前後に位置する。スペーサー部７１は、その左右幅が、左右に隣接するブロック３０間に充填される目地材３１の左右幅と同じとなるように設けられる。そして、スペーサー部７１は、その前後長さが、ブロック３０の左右の側面のうち凹部３２よりも前側の部位または後側の部位の前後長さと同じとなるように設けられる。本実施形態では、スペーサー部７１は、角筒状である。前側のスペーサー部７１は、突出部７０の前側の左右方向内側の端部から前方に延長して設けられ、後側のスペーサー部７１は、突出部７０の後側の左右方向内側の端部から後方に延長して設けられる。
【００２４】
取付部７２は、突出部７０の前側の左右方向内側の端部から後方に突出する前取付部７２と、突出部７０の後側の左右方向内側の端部から前方に突出する後取付部７２とを有する。前後一対の取付部７２はそれぞれ、板状である。また、前後一対の取付部７２はそれぞれ、図３Ｂに示すように、左右方向に貫通する取付孔７４を有する。取付孔７４は、上下方向を長手方向とする長孔であり、各取付部７２に複数個ずつ上下に並べて設けられる。前取付部７２と後取付部７２には、複数の取付孔７４が同様の配置で設けられている。本実施形態では、各取付部７２は、図３Ａに示すように、スペーサー部７１よりもやや左右方向外側に位置する。電気配線１１を挿通可能な縦筋状のスペースＳ２は、前後一対の取付部７２よりも左右方向外側に位置する。
【００２５】
受け部７３は、前後方向外側に開口する半角筒状であり、前後一対のスペーサー部７１の前後方向外側の端部と一体の板部７３０と、板部７３０の左右の端部から前後方向外側に突出する突片部７３１とを有する。受け部７３には、化粧材８（図５参照）が着脱自在に取り付けられる。
【００２６】
受け部７３は、スペーサー部７１よりも左右幅が大きく、左右方向内側の端面がスペーサー部７１の左右方向内側の端面と面一であり、左右方向外側の端面がスペーサー部７１の左右方向外側の端面よりも左右方向外側に位置する。つまり、受け部７３は、その一部がスペーサー部７１よりも左右方向外側に突出している。
【００２７】
化粧材８は、本実施形態では、前後方向外側に位置する表パーツ８０と、その前後方向内側に位置する裏パーツ８１とを有する。表パーツ８０は、前後方向内側に開口する半角筒状であり、矩形板状の表面化粧部８００と、表面化粧部８００の左右の端部から前後方向内側に突出する矩形板状の側面化粧部８０１とを有する。表パーツ８０は、表面化粧部８００の表面（前後方向外側の面）と左右一対の側面化粧部８０１の表面（左右方向外側の面）が、任意の柄や色で塗装されている。
【００２８】
裏パーツ８１は、前後方向内側に開口する半角筒状であり、表パーツ８０よりも一回り小さい。裏パーツ８１は、矩形板状の裏片部８１０と、裏片部８１０の左右の端部から前後方向内側に突出する矩形板状の側片部８１１とを有する。化粧材８は、表面化粧部８００の裏面（前後方向内側の面）に裏片部８１０の表面（前後方向外側の面）が溶着や接着等により一体化されている。化粧材８は、側面化粧部８０１と側片部８１１との間に、受け部７３の突片部７３１を差し込み可能な差し込み溝８２を有する。
【００２９】
左右一対の側枠７の上端部には、図２に示すように、上枠５が一体に設けられる。前後一対のスペーサー部７１の上部開口と、突出部７０の上部開口とは上枠５により閉塞される。本実施形態では、上枠５は、平板状であり、その左右の端部の前後方向の中央部分が、左右方向外側に突出している。この突出した部分の外形は、平面視にて突出部７０の外形と同じである。なお、上枠５は、平面視矩形板状であってもよく、その場合、上枠５の左右幅は、左右の側枠７の突出部７０の先端間の距離と同じかそれよりも長い。
【００３０】
左右一対の側枠７の下端部には、下枠６が一体に設けられる。前後一対のスペーサー部７１の下部開口と、突出部７０の下部開口とは下枠６により閉塞される。本実施形態では、下枠６は、上枠５と同形状の平板であり、その左右の端部の前後方向の中央部分が左右方向外側に突出している。なお、下枠６は、平面視矩形板状であってもよく、その場合、下枠６の左右幅は、左右の側枠７の突出部７０の先端間の距離と同じかそれよりも長い。
【００３１】
下枠６は、電気配線１１が挿通される１つの導入孔６０と、後述する固定部材２０から上方に突出した凸部２０１が挿通される複数の挿通孔６１とを有する。導入孔６０と挿通孔６１はそれぞれ、下枠６を上下方向に貫通する孔である。電気配線１１は、導入孔６０を通じて地中から取付枠２内へと導入される。下枠６における導入孔６０の形成位置は、特に限定されないが、例えば、下枠６のうち左右の端部の左右方向外側に突出した部位であってもよい。この場合、電気配線１１は、地中からスペースＳ２へと直接導入することができる。挿通孔６１は、下枠６のうち各スペーサー部７１の左右方向内側に隣接する箇所に１つずつ配置される。
【００３２】
本実施形態の門柱１００は、取付枠２を地面に対して固定するための固定部材２０を更に備える。固定部材２０は、板状のベース部２００と、ベース部２００から上方に突出した複数の凸部２０１とを有する。凸部２０１は、円柱状であり、外周面にねじ山が形成されている。各凸部２０１には、ナット２０２がねじ締めされる。ベース部２００における複数の凸部２０１の配置は、下枠６における複数の挿通孔６１の配置と同じである。固定部材２０は、ベース部２００を地中に埋め、各凸部２０１を地面から上方に突出させた状態で用いられる。
【００３３】
本実施形態の門柱１００は、スペースＳ２の左右方向内側の開口の一部を塞ぐように側枠７に固定される取付部材９を更に備える。取付部材９は、例えば、金属板をプレス加工する等して形成される。
【００３４】
取付部材９は、図４Ａ及び図４Ｂに示すように、略矩形板状であり、上下方向の中央部が左右方向内側に突出するように半角筒状に折れ曲がっている。この半角筒状に折れ曲がった部分が、機能ユニット１が取り付けられる装着部９０である。取付部材９は、装着部９０よりも上側に、側枠７の取付部７２に当てた状態で固定される固定部９１を有する。また、取付部材９は、装着部９０よりも下側に、取付部７２に当てて設置される当て部９２を有する。固定部９１と装着部９０と当て部９２とはこの順に連続している。
【００３５】
固定部９１は、その前後の端部にそれぞれ、左右方向に貫通する固定孔９３を有する。各固定孔９３は、上下方向に長い長孔であり、その前後幅は、取付部７２の取付孔７４の前後幅と略同じである。前後一対の固定孔９３は、前後の取付部７２の取付孔７４間の前後距離と同じだけ前後方向に離れている。
【００３６】
取付部材９は、固定部９１及び当て部９２を前後一対の取付部７２に当てた状態で、固定部９１の前後一対の固定孔９３と前後一対の取付部７２の取付孔７４に、ボルト・ナット等の固定具を挿通させてねじ締めすることによって、側枠７に固定される。
【００３７】
装着部９０は、例えば、少なくとも左右方向内側に開口するねじ孔を有する。なお、ねじ孔は、装着部９０を左右方向に貫通する孔であってもよい。ねじ孔は、装着部９０のうち、前後の端部を除いた部分に位置する。つまり、ねじ孔は、装着部９０のうち、側面視にて前後一対の取付部７２に重ならない部位に位置する。機能ユニット１は、例えば、その内側からねじ等の固定具を打ち込み、装着部９０のねじ孔に対してねじ締めすることによって、取付部材９に固定される。なお、装着部９０は、ねじ孔を有していなくてもよく、その場合には、取付部材９は、ドリルねじ等の固着具によって装着部９０に固定される。
【００３８】
側枠７には、必要に応じて、複数の取付部材９が取り付けられる。複数の取付部材９は、同じ上下長さのものであってもよいし、取り付けられる機能ユニット１の上下長さにそれぞれ対応したものであってもよい。
【００３９】
機能ユニット１は、本実施形態では、図１及び図２に示すように、表札１２と表札１２を照らす照明装置１３とを一体に設けた表札照明ユニット１４と、郵便受け１０である。なお、機能ユニット１は、インターホン、電気自動車の充電装置、宅配便を受け取るロッカー、食材等を受け渡しする保温・保冷ロッカー等であってもよい。取付枠２内に設置される機能ユニット１の数や種類は、設置空間Ｓ１内に収まる範囲で、適宜選択可能である。
【００４０】
郵便受け１０は、本実施形態では、前面に投函口を有し後面に取出し口を有する箱状の収納部１０１と、収納部１０１の前面に投函口を囲むように取り付けられた口枠１０２と、取出し口を開閉する蓋とを含む。
【００４１】
本実施形態の門柱１００は、図１及び図５に示すように、取付枠２の内側の設置空間Ｓ１を前方から覆うように取り付けられる前カバー２１と、この設置空間Ｓ１を後方から覆うように取り付けられる後カバー２２とを更に備える。前カバー２１は、本実施形態では、設置空間Ｓ１のうち、郵便受け１０の口枠１０２よりも下方の領域全体を前方から覆う。前カバー２１は、左右の端部にぞれぞれ後方に突出するリブ２３を有する。前カバー２１は、左右のリブ２３を前側のスペーサー部７１に押し当てる等して、取付枠２に対して着脱自在に設置される。また、後カバー２２は、本実施形態では、設置空間Ｓ１のうち、郵便受け１０の収納部１０１よりも下方の領域全体を後方から覆う。後カバー２２は、左右の端部にそれぞれ前方に突出するリブ２４を有する。後カバー２２は、左右のリブ２４を後側のスペーサー部７１に押し当てる等して、取付枠２に対して着脱自在に設置される。
【００４２】
続いて、本実施形態の機能ユニット１付きの門柱１００の施工手順の一例について説明する。
【００４３】
まず、固定部材２０のベース部２００を地中に埋め、各凸部２０１を地面から上方に突出させる。次いで、各凸部２０１が下枠６の各挿通孔６１を挿通するように、下枠６を地面に載置し、各凸部２０１にナット２０２を取り付けて、取付枠２を地面に固定する。このとき、地中から引き出された電気配線１１を、下枠６の導入孔６０を通じて取付枠２内に導入する。
【００４４】
次いで、取付枠２の左右両側においてそれぞれ、６つの隅用ブロック３０１を目地材３１を介して上下に積み重ねて壁体３を形成する。このとき、取付枠２の側枠７の突出部７０が、各隅用ブロック３０１の凹部３２に嵌り込むように、各隅用ブロック３０１を配置する。なお、このとき、側枠７と各隅用ブロック３０１との間に接着ウレタン等の樹脂剤を充填して、側枠７と壁体３とを一体化させるようにしてもよい。壁体３の形成の際、例えば、２段目と３段目の隅用ブロック３０１の間と、４段目と５段目の隅用ブロック３０１の間に、横鉄筋を配置し、横鉄筋とその上下の隅用ブロック３０１とを目地材３１を介して一体化させて、壁体３を補強する。
【００４５】
次いで、取付枠２上に目地材３１を介して基本ブロック３００を積み重ね、左右一対の壁体３上に目地材３１を介して隅用ブロック３０１を積み重ねる。そして、基本ブロック３００とその左右の隅用ブロック３０１との間に目地材３１を充填して一体化させ、上壁体４を形成する。このとき、取付枠２と基本ブロック３００の間と、左右一対の壁体３の最上部の隅用ブロック３０１とその上の隅用ブロック３０１との間には、左右方向に亘って横鉄筋を配置し、目地材３１を介して一体化させて、門柱１００を補強する。
【００４６】
以上のように、左右一対の壁体３と上壁体４とを、取付枠２に対して周囲を囲むように一体に設置することで、機能ユニット１を取り付け可能な門柱１００が形成される。
【００４７】
次いで、取付枠２の左右の側枠７に、各機能ユニット１の設置位置に合わせて、取付部材９を取り付ける。このとき、側枠７の前後一対の取付部７２に、取付部材９の固定部９１と当て部９２を当て、取付部７２の取付孔７４と固定部９１の固定孔９３とにボルトナット等の固定具を挿通させてねじ締めし、側枠７に取付部材９を取り付ける。ここで、取付孔７４と固定孔９３はいずれも上下に長い長孔であるため、取付部材９は、傾きを微調整しやすく、側枠７に水平に取り付けやすくなっている。
【００４８】
次いで、左右の側枠７にそれぞれ固定された左右一対の取付部材９の装着部９０の間に、機能ユニット１を配置し、機能ユニット１の内側からねじ等の固定具を打ち込んで装着部９０のねじ孔に対してねじ締めし、取付部材９に機能ユニット１を固定する。
【００４９】
次いで、地中から取付枠２内に導入した電気配線１１を、機能ユニット１に接続する。
【００５０】
上記の方法で、取付枠２内に、表札照明ユニット１４と郵便受け１０をこの順に取り付ける。
【００５１】
次いで、取付枠２のうち郵便受け１０の口枠１０２よりも下方の部位に、前方から前カバー２１を取り付ける。このとき、前カバー２１の左右の端部から後方に突出するリブ２３を、左右の側枠７の前側のスペーサー部７１の左右方向内側の面に押し当てる等して、前カバー２１を取付枠２に対して着脱自在に取り付ける。なお、前カバー２１のリブ２３に左右方向内側からねじ等の固定具を打ち付けて、前側のスペーサー部７１に固定することで、前カバー２１を取付枠２に対して固定するようにしてもよい。この場合、ねじ等の固定具を取り外すことで、前カバー２１は取付枠２から取り外すことができる。
【００５２】
次いで、取付枠２のうち郵便受け１０の収納部１０１よりも下方の部位に、後方から後カバー２２を取り付ける。このとき、後カバー２２の左右の端部から前方に突出するリブ２４を、左右の側枠７の後側のスペーサー部７１の左右方向内側の面に押し当てる等して、後カバー２２を取付枠２に対して着脱自在に取り付ける。
【００５３】
次いで、左右の壁体３及び上壁体４の露出面となる前後左右の面と、前カバー２１の前面とに、後カバー２２の後面とに、仕上げのためのモルタルや塗料を塗布する。なお、左右の壁体３及び上壁体４には、機能ユニット１を取付枠２に取り付ける前に、仕上げのためのモルタルや塗料の塗布を行ってもよい。
【００５４】
次いで、取付枠２の左右の側枠７の受け部７３に、化粧材８を取り付ける。なお、化粧材８の取付は、機能ユニット１を取付枠２に取り付ける前に、行ってもよい。
【００５５】
以上のような手順で施工することで、図１及び図５に示す機能ユニット１付きの門柱１００が形成される。
【００５６】
本実施形態の門柱１００では、機能ユニット１が取付枠２内に設置されるものとなっており、機能ユニット１が周囲のブロック３０に対してモルタル等で固定されないため、機能ユニット１の交換や増設を簡単に行うことができる。
【００５７】
また、本実施形態の門柱１００では、取付枠２が地面に固定されており、取付枠２の左右の壁体３の各凹部３２に、取付枠２の左右の側枠７の突出部７０が嵌り込んでいる。そのため、本実施形態の機能ユニット１付きの門柱１００では、取付枠２と左右の壁体３との間に鉄筋を通さなくても、取付枠２によって左右の壁体３を補強することができ、縦鉄筋の設置数を減らすことができて、施工のしやすいものとなっている。
【００５８】
また、本実施形態の門柱１００では、突出部７０を、左右方向外側に突出するように湾曲した形状とし、突出部７０の左右方向内側に、機能ユニット１に接続される電気配線１１を挿通可能な縦溝状のスペースＳ２を形成している。そのため、本実施形態の門柱１００では、取付枠２とその内側に配される機能ユニット１との間に、電気配線１１を挿通するためのスペースＳ２を確保することができ、機能ユニット１の取付の際に、電気配線１１が邪魔になることを抑制できる。
【００５９】
また、本実施形態の門柱１００では、側枠７のうち、突出部７０のある箇所にも取付部材９を介して機能ユニット１を取り付けることができ、機能ユニット１の取付位置の自由度の高いものとなっている。
【００６０】
続いて、本実施形態の門柱１００が備える他の取付部材１０９について説明する。以下では、図６Ａ及び図６Ｂに示す取付部材１０９について、上述した取付部材９と同じ構成については図中に同じ符号を付して、詳しい説明を省略する。
【００６１】
取付部材１０９は、装着部９０の左右方向内側に、機能ユニット１を支持する支持部９４が設けられている。支持部９４は、正面視Ｌ字状であり、装着部９０に沿わせて配される縦板部９４０と、縦板部９４０の下端から左右方向内側に突出する横板部９４１とを有する。支持部９４は、縦板部９４０が溶接等により装着部９０に固定されて装着部９０と一体に設けられる。装着部９０は、機能ユニット１を固定するねじ等の固定が打ち込まれるねじ孔を有し、縦板部９４０は、側面視にて装着部９０のねじ孔に重なる位置に、連通孔を有する。
【００６２】
取付部材１０９は、左右の側枠７にそれぞれ固定した状態で、左右一対の横板部９４１によって機能ユニット１を設置位置に支持することができる。そのため、取付部材１０９を備える門柱１００では、機能ユニット１を設置位置に支持した状態で、固定具を用いて機能ユニット１を取付部材１０９へ固定することができ、機能ユニット１の取付がしやすくなっている。
【００６３】
続いて、本実施形態の門柱１００が備える更に他の取付部材１１９について説明する。以下では、図７Ａ及び図７Ｂに示す取付部材１１９について、上述した取付部材９と同じ構成については図中に同じ符号を付して、詳しい説明を省略する。
【００６４】
取付部材１１９は、装着部９０の左右方向内側に、機能ユニット１を支持する支え部９５が設けられている。支え部９５は、取付部材１１９の一部を、左右方向内側に突出するように切り起こすことによって形成される。図に示す例では、支え部９５は、装着部９０の下端部と当て部９２の上端部のうちの前後方向の中央部分を、左右方向内側に切り起こすことによって形成される。取付部材１１９のうち支え部９５の下方の部位には、左右方向に貫通する貫通孔９６が形成される。
【００６５】
取付部材１１９は、左右の側枠７にそれぞれ固定した状態で、左右一対の支え部９５によって機能ユニット１を設置位置に支持することができる。そのため、取付部材１１９を備える門柱１００では、機能ユニット１を設置位置に支持した状態で、固定具を用いて機能ユニット１を取付部材１１９へ固定することができ、機能ユニット１の取付がしやすくなっている。また、取付部材１１９を備える門柱１００では、取付部材１１９に形成された貫通孔９６を通じて、スペースＳ２に挿通された電気配線１１を引き出すことも可能となる。
【００６６】
続いて、図８Ａ及び図８Ｂに示す本発明の第二実施形態の門柱１００について説明する。なお、上述した第一実施形態の門柱１００と同じ構成については図中に同じ符号を付して、詳しい説明を省略する。
【００６７】
本実施形態の門柱１００では、側枠７が、前側に位置する第一パーツ７５とその後側に位置する第二パーツ７６とに分割可能なものとなっている。本実施形態では、側枠７の前側のスペーサー部７１が、第一前スペーサー部７１０と、その後方に位置する第二前スペーサー部７１１とに分割されている。第一前スペーサー部７１０と第二前スペーサー部７１１はいずれも角筒状である。
【００６８】
第一パーツ７５は、第一前スペーサー部７１０と、前側の受け部７３とで構成される。そして、第二パーツ７６は、第二前スペーサー部７１１と、突出部７０と、前後一対の取付部７２と、後側のスペーサー部７１と、後側の受け部７３とで構成される。第二パーツ７６は、上枠５及び下枠６に対して一体に設けられており、第一パーツ７５は、上枠５及び下枠６に対して別体に設けられている。
【００６９】
本実施形態の機能ユニット１付きの門柱１００は、第一パーツ７５と第二パーツ７６の両方を用いることで、図５に示す構造と同様の構造とすることができ、第二パーツ７６のみを用いることで、図８Ｂに示す構造とすることができる。
【００７０】
図８Ｂに示す本実施形態の機能ユニット１付きの門柱１００は、前カバー２１に代えて、前閉塞部材を備える。前閉塞部材は、固定台２７、下地材２８、及び化粧下地材２９を有する。固定台２７と下地材２８と化粧下地材２９は一体に設けられている。
【００７１】
固定台２７は、板状の台部２７０と、台部２７０の左右の端部からそれぞれ前後方向内側（本実施形態では後方）に突出したリブ２７１とを有する。固定台２７は、左右のリブ２７１を第二前スペーサー部７１１に押し当てる等して、左右の側枠７に着脱自在に取り付けられる。固定台２７は、例えば、金属製である。
【００７２】
下地材２８は、台部２７０に前後方向内側の面（本実施形態では後面）を当てた状態で、接着やねじ固定によって固定台２７に取り付けられている。下地材２８は、その左右幅が、固定台２７の左右幅よりも長く、取付枠２の左右に並ぶ隅用ブロック３０１間の左右長さと略同じである。下地材２８は、例えば、木質板である。
【００７３】
化粧下地材２９は、例えば、ラス網である。化粧下地材２９は、タッカー等により、下地材２８の表面（前面）に固定されている。
【００７４】
図８Ｂに示す本実施形態の機能ユニット１付きの門柱１００では、郵便受け１０は、収納部１０１の前面が第二前スペーサー部７１１の前面に対して略面一となるように、取付部材９に取り付けられる。そして、前閉塞部材は、その前面（つまり、化粧下地材２９の前面）が取付枠２の左右に隣接する隅用ブロック３０１の前面と略面一となるように、第二前スペーサー部７１１に取り付けられる。そして、本実施形態の機能ユニット１付きの門柱１００では、左右一対の壁体３の前面と、前閉塞部材の前面とに、モルタルや化粧用の塗料が塗布される。
【００７５】
したがって、本実施形態の機能ユニット１付きの門柱１００では、その前面に前方に突出する化粧材８を有さないため、前面をフラットな外観とすることができる。
【００７６】
続いて、図９Ａ及び図９Ｂに示す本発明の第三実施形態の門柱１００について説明する。なお、上述した第二実施形態の門柱１００と同じ構成については図中に同じ符号を付して、詳しい説明を省略する。
【００７７】
本実施形態の門柱１００では、第二パーツ７６が、前側に位置する第二前パーツ７７と、その後方に位置する第二後パーツ７８とに分割可能なものとなっている。本実施形態では、側枠７の後側のスペーサー部７１が、第一後スペーサー部７１２と、その後方に位置する第二後スペーサー部７１３とに分割されている。第一後スペーサー部７１２と第二後スペーサー部７１３はいずれも角筒状である。
【００７８】
第二前パーツ７７は、第二前スペーサー部７１１と、突出部７０と、前後一対の取付部７２と、第一後スペーサー部７１２とで構成される。第二後パーツ７８は、第二後スペーサー部７１３と、後側の受け部７３とで構成される。第二前パーツ７７は、上枠５及び下枠６に対して一体に設けられており、第二後パーツ７８は、第一パーツ７５と同様に、上枠５及び下枠６に対して別体に設けられている。
【００７９】
本実施形態の機能ユニット１付きの門柱１００は、第一パーツ７５と第二前パーツ７７と第二後パーツ７８の全てを用いることで、図５に示す構造と同様の構造とすることができる。また、本実施形態の機能ユニット１付きの門柱１００は、第二前パーツ７７と第二後パーツ７８のみを用いることで、図８Ｂに示す構造と同様の構造とすることができる。そして、本実施形態の機能ユニット１付きの門柱１００は、第二前パーツ７７のみを用いることで、図９Ｂに示す構造とすることができる。
【００８０】
図９Ｂに示す本実施形態の機能ユニット１付きの門柱１００は、後カバー２２に代えて、後閉塞部材を備える。後閉塞部材は、前閉塞部材と同様の構造であり、固定台２７、下地材２８、及び化粧下地材２９を一体に有する。
【００８１】
図９Ｂに示す本実施形態の機能ユニット１付きの門柱１００では、後閉塞部材の後面（つまり後閉塞部材の化粧下地材２９の後面）が、取付枠２の左右に隣接する隅用ブロック３０１の後面と略面一となるように、第一後スペーサー部７１２に対して取り付けられる。そして、本実施形態の機能ユニット１付きの門柱１００では、左右一対の壁体３の後面と、後閉塞部材の後面とに、モルタルや化粧用の塗料が塗布される。
【００８２】
したがって、本実施形態の機能ユニット１付きの門柱１００では、その前面と後面の両方に化粧材８を有さないため、前面と後面の両方をフラットな外観とすることができる。
【００８３】
以上まとめると、本発明の実施形態の門柱１００は、上述した第一乃至第三実施形態の門柱１００のように、下記の構成を備えることを特徴とする。
【００８４】
すなわち、本発明の実施形態の門柱１００は、機能ユニット１が取り付けられる取付枠２と、取付枠２の左右方向外側に位置し、複数のコンクリートブロック３０を上下に積み重ねて形成した壁体３とを備える。取付枠２は、地面に対して固定された状態で設置される左右一対の側枠７を有し、左右一対の側枠７の間に機能ユニット１が取り付けられる。複数のコンクリートブロック３０はそれぞれ、取付枠２に対向する側面に凹部３２を有する。側枠７は、凹部３２に嵌まり込む突出部７０を有する。
【００８５】
以上のような構成とすることで、本発明の実施形態の門柱１００は、郵便受け１０等の機能ユニット１を取付枠２内に設置することができ、機能ユニット１が周囲のコンクリートブロック３０に対してモルタル等で固定されず、交換や増設を簡単に行うことができる。
【００８６】
また、本発明の実施形態の門柱１００では、地面に固定された取付枠２の側枠７から突出する突出部７０がコンクリートブロック３０の凹部３２に嵌り込むため、取付枠２とコンクリートブロック３０との間に縦鉄筋を別途設置する必要がない。そのため、本発明の実施形態の門柱１００は、縦鉄筋の設置数を少なくできて、施工性が良い。
【００８７】
また、本発明の実施形態の門柱１００は、上述した第一乃至第三実施形態の門柱１００のように、上記の構成に加えて、更に下記の構成を有することを特徴とする。なお、下記の構成は、付加的な構成である。
【００８８】
すなわち、本発明の実施形態の門柱１００は、突出部７０が、左右方向外側に突出するように湾曲した形状を有し、突出部７０の左右方向内側に、機能ユニット１に接続される電気配線１１を挿通可能な縦溝状のスペースＳ２を形成する。
【００８９】
以上のような構成とすることで、本発明の実施形態の門柱１００は、突出部７０の左右方向内側に形成されるスペースＳ２を、機能ユニット１に接続される電気配線１１を挿通するためのスペースとして有効に活用することができて、施工性が良い。
【００９０】
また、本発明の実施形態の門柱１００は、上述した第一乃至第三実施形態の門柱１００のように、上記の構成に加えて、更に下記の構成を有することを特徴とする。なお、下記の構成は、付加的な構成である。
【００９１】
すなわち、本発明の実施形態の門柱１００は、スペースＳ２の開口の一部を塞ぐように側枠７に固定される取付部材９を更に備え、取付部材９に、機能ユニット１が取り付けられる。
【００９２】
以上のような構成とすることで、本発明の実施形態の門柱１００は、側枠７のうち、突出部７０のある箇所に取付部材９を介して機能ユニット１を取り付けることができ、機能ユニット１の取付位置の自由度の高いものとなっている。
【００９３】
なお、上述した各実施形態の門柱１００では、側枠７に取り付けた取付部材９に機能ユニット１を取り付ける例について説明したが、機能ユニット１は側枠７にねじ等の固定具で直接固定してもよい。この場合、門柱１００は、取付部材９を備えなくてもよい。
【００９４】
また、上述した各実施形態の門柱１００では、突出部７０として、左右方向内側にスペースＳ２を形成するものを例として説明したが、突出部７０は、左右方向内側にスペースＳ２を形成しないものであってもよい。つまり、突出部７０は、平断面略半円状の中実や中空のものであってもよい。この場合でも、門柱１００は、突出部７０がコンクリートブロック３０の凹部３２に嵌り込むため、縦鉄筋の設置数を少なくできて、施工性が良い。
【００９５】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００９６】
１      機能ユニット
２      取付枠
３      壁体
７      側枠
９      取付部材
１１    電気配線
３０    コンクリートブロック
３２    凹部
７０    突出部
１００  門柱
Ｓ２    スペース
【図１】
0006516179.tif 000002
【図２】
0006516179.tif 000003
【図３】
0006516179.tif 000004
【図４】
0006516179.tif 000005
【図５】
0006516179.tif 000006
【図６】
0006516179.tif 000007
【図７】
0006516179.tif 000008
【図８】
0006516179.tif 000009
【図９】
0006516179.tif 000010